(57)【要約】【課題】  ユーザ所望のダイヤルアップ先およびメールアカウントをワンタッチで選択できる通信端末装置を実現する。【解決手段】  複数のダイヤルアップ先とそれに対応するメールアカウントとが登録されるダイヤルアップ登録テーブルから登録名（グループ名）毎のダイアルアップ先とメールアカウントとを関連付けたダイヤルアップグループテーブルＴ２を生成し、このダイヤルアップグループテーブルＴ２から選択されたグループのダイアルアップ先を参照してダイヤルアップ接続すると共に、その選択されたグループのダイアルアップ先に関連付けられたメールアカウントに従ってメール送受信する。これにより、ユーザ所望のダイヤルアップ先およびメールアカウントをワンタッチで選択できる。【選択図】  図５
2005347792.tif 000002
【特許請求の範囲】
【請求項１】
ダイヤルアップ先に接続してそのダイヤルアップ先に対応するメールアカウントに従ってメール送受信を行う通信端末装置であって、
予め登録された複数のダイヤルアップ先とそれに対応するメールアカウントとから、ユーザが指定する属性毎にダイアルアップ先とメールアカウントとを関連付けたグループテーブルを発生するテーブル発生手段と、
前記テーブル発生手段により生成されたグループテーブルから選択されたグループのダイアルアップ先を参照してダイヤルアップ接続すると共に、その選択されたグループのダイアルアップ先に関連付けられたメールアカウントに従ってメール送受信するメール送受信手段と
を具備することを特徴とする通信端末装置。
【請求項２】
前記複数のダイヤルアップ先は、異なる通信速度の通信回線を介して接続されており、前記メール送受信手段は、前記複数のダイヤルアップ先の通信速度を予め記憶していることを特徴とする請求項１記載の通信端末装置。
【請求項３】
前記メール送受信手段は、接続時刻によって前記複数のダイヤルアップ先のいずれかを選択することを特徴とする請求項２記載の通信端末装置。
【請求項４】
前記複数のグループテーブルには、互いに異なるメールアカウントが登録されていることを特徴とする請求項１ないし３のいずれかに記載の通信端末装置。
【請求項５】
ダイヤルアップ先に接続してそのダイヤルアップ先に対応するメールアカウントに従ってメールを送受信する通信端末装置と、該通信端末装置と通信してデータを交換可能なサーバとを有する通信システムであって、
前記サーバには、予め登録された複数のダイヤルアップ先とそれに対応するメールアカウントとから、ユーザが指定する属性毎にダイアルアップ先とメールアカウントとを関連付けたグループテーブルを発生するテーブル発生手段が設けられ、
前記通信端末装置は、前記サーバと接続されることにより、前記テーブル発生手段により生成されたグループテーブルを参照して、いずれかのダイアルアップ先を選択し、当該ダイヤルアップ先へ接続すると共に、その選択されたグループのダイアルアップ先に関連付けられたメールアカウントに従ってメール送受信するメール送受信手段と
を具備することを特徴とする通信システム。
【発明の詳細な説明】
【技術分野】
【０００１】
本発明は、ユーザ所望のダイヤルアップ先およびメールアカウントをワンタッチで選択可能な通信端末装置および通信システムに関する。
【背景技術】
【０００２】
携帯電話に代表される通信端末装置では、通話機能の他にメール送受信機能を備える場合が多い。メール送受信機能の内には、メールサービスを提供するプロバイダ側に接続させる機能がある。この接続操作を容易にするための技術として、例えば、予め受信に使用するダイアルアップ設定、メールアカウントをそれぞれ選択し、ユーザがメール送受信を行う際に所望のダイアルアップ先やメールアカウントを選択するものがある。この種の技術として、例えば特許文献１に開示されているように、保存されている電子メールに該当するネットワークのデータを返信メールに付加するものが知られている。
【特許文献１】特開平１０−１６４１２６号公報
【発明の開示】
【発明が解決しようとする課題】
【０００３】
ところで、上記従来技術には、次のような問題がある。すなわち複数のプロバイダのメールサービスを受けることが可能な場合、ユーザは通信速度、通信形態（回線交換又はパケット交換）および通信料金を勘案して、これらプロバイダから、接続するダイヤルアップ先として最適なものを選択し、さらにメール送信時には送信メールアカウントを、メール受信時には受信メールアカウントを選択する操作を行う必要がある。
【０００４】
この為、例えば仕事用のメールアカウントとプライベート用のメールアカウントとを使い分けようとすると、接続の度にダイヤルアップ先およびメールアカウントを選択することになり、ユーザ所望のダイヤルアップ先およびメールアカウントをワンタッチで選択することができないという問題がある。
【０００５】
そこで本発明は、このような事情に鑑みてなされたもので、ユーザ所望のダイヤルアップ先およびメールアカウントをワンタッチで選択することができる通信端末装置およびシステムを提供することを目的としている。
【課題を解決するための手段】
【０００６】
上記目的を達成するため、請求項１に記載の発明では、ダイヤルアップ先に接続してそのダイヤルアップ先に対応するメールアカウントに従ってメール送受信を行う通信端末装置であって、予め登録された複数のダイヤルアップ先とそれに対応するメールアカウントとから、ユーザが指定する属性毎にダイアルアップ先とメールアカウントとを関連付けたグループテーブルを発生するテーブル発生手段と、前記テーブル発生手段により生成されたグループテーブルから選択されたグループのダイアルアップ先を参照してダイヤルアップ接続すると共に、その選択されたグループのダイアルアップ先に関連付けられたメールアカウントに従ってメール送受信するメール送受信手段とを具備することを特徴とする。
また前記複数のダイヤルアップ先は、互いにビットレートが異なり、前記メール送受信手段は、前記複数のダイヤルアップ先のビットレートを予め記憶していることを特徴とする。
また前記メール送受信手段は、接続時刻によって前記複数のダイヤルアップ先のいずれかを選択することを特徴とする。
また前記複数のグループテーブルには、互いに異なるメールアカウントが登録されていることを特徴とする。
また本発明は、ダイヤルアップ先に接続してそのダイヤルアップ先に対応するメールアカウントに従ってメール送受信を行う通信端末装置と、該通信端末装置と通信してデータを交換可能なサーバとを有する通信システムであって、前記サーバには、予め登録された複数のダイヤルアップ先とそれに対応するメールアカウントとから、ユーザが指定する属性毎にダイアルアップ先とメールアカウントとを関連付けたグループテーブルを発生するテーブル発生手段が設けられ、前記通信端末装置は、前記サーバと接続されることにより、前記テーブル発生手段により生成されたグループテーブルを参照して、いずれかのダイアルアップ先を選択し、当該ダイヤルアップ先へ接続すると共に、その選択されたグループのダイアルアップ先に関連付けられたメールアカウントに従ってメール送受信するメール送受信手段とを具備することを特徴とする。
【発明の効果】
【０００７】
本発明によれば、予め登録された複数のダイヤルアップ先とそれに対応するメールアカウントとから、ユーザが指定する属性のグループ毎のダイアルアップ先とメールアカウントとを関連付けたグループテーブルを発生し、そのグループテーブルから選択されたグループのダイアルアップ先を参照してダイヤルアップ接続すると共に、その選択されたグループのダイアルアップ先に関連付けられたメールアカウントに従ってメール送受信するので、ユーザ所望のダイヤルアップ先およびメールアカウントをワンタッチで選択することができる。
【発明を実施するための最良の形態】
【０００８】
以下、図面を参照して本発明の実施の形態について説明する。
（１）発明の概要
図１は、本発明の実施の一形態による携帯電話機１００が適用される通信システムの構成を示すネットワーク図である。この図において、基地局１０１は携帯電話網ＮＷの構成要素であり、携帯電話機１００と無線接続される。なお、基地局１０１は携帯電話網ＮＷを介して携帯キャリヤのサービス管理局（図示略）に接続される。１０２−１〜１０２−３は、ＰＯＰ３サーバおよびＳＭＰＴサーバからなるメールサーバを備えるプロバイダである。プロバイダ１０２−１は携帯電話網ＮＷに接続され、プロバイダ１０２−１〜１０２−３はインターネットＩＮに接続される。１０３は携帯電話網ＮＷとインターネットＩＮとを繋ぐゲートウェイである。
【０００９】
このようなシステムにおいて、携帯電話機１００がプロバイダ１０２−１〜１０２−３とダイヤルアップ接続によるメールサービスを受けるには、例えば回線交換にてプロバイダ１０２−１に接続するダイヤルアップ先およびメールアカウント、パケット交換にてプロバイダ１０２−１に接続するダイヤルアップ先およびメールアカウントの他、携帯電話網ＮＷからゲートウェイ１０３を介してインターネットＩＮ上のプロバイダ１０２−２〜１０２−３に接続するためのダイヤルアップ先およびメールアカウント等、これら複数のダイヤルアップ先とそれに対応するメールアカウントを携帯電話機１００に設定しておく必要がある。
本発明による携帯電話機１００は、複数のダイヤルアップ先とそれに対応するメールアカウントを使用してメールサービスを受ける場合に、ユーザ所望のダイヤルアップ先およびメールアカウントをワンタッチで選択可能にするものであり、以下ではそうした携帯電話機１００の構成について図２を参照して説明する。
【００１０】
（２）携帯電話機１００の構成
図２は実施の一形態である携帯電話機１００の構成を示すブロック図である。この図において、通信処理部１は、アンテナＡＮＴを介して受信復調した受信データを制御部５に出力する一方、制御部５から供給される送信データを変調して得た送信信号を高周波増幅してアンテナＡＮＴから送出する。通話部２は、制御部５から供給される通話中の音声データを音声信号にＤ／Ａ変換してスピーカ３から発音させたり、マイク４から出力される音声信号を音声データにＡ／Ｄ変換して制御部５に入力したりする。制御部５は、ＣＰＵおよびベースバンド信号処理用のプロセッサ等から構成され、各部の動作を制御する。具体的には、例えば通信処理部１が受信した受信データを音声データに変換して通話部５に供給したり、通話部２が発生する音声データを送信データに変換して通信処理部１に供給する通信制御処理などを実行する。
【００１１】
操作部６は、例えばパワーオンオフする電源スイッチや、通話開始／終了時に操作されるオフフック／オンフックスイッチ、ダイヤルスイッチと兼用の文字入力スイッチ、カーソルスイッチ等の各種キースイッチを所定のレイアウトで配置したもの、より具体的には携帯電話機の前面や側面、あるいはその他の部分に設けられた各種スイッチの集合であって、操作されるスイッチに応じたスイッチ信号を制御部５に供給する。時計部７は、時刻計時して現在時刻データを発生する。表示部８は、カラー液晶パネルおよび表示ドライバから構成され、制御部５の制御の下に、例えば受信メールの内容や待受画面などを画面表示する。システムＲＯＭ９は、制御部５によって実行される通信制御処理のプログラムや当該プログラムにより参照される各種データを記憶する。
【００１２】
ＲＡＭ１０は、ワーク領域、メール領域およびユーザ情報領域などの記憶領域を備える。ＲＡＭ１０のワーク領域には、制御部５が実行する各種処理で使用されるレジスタ・フラグデータが一時記憶される。ＲＡＭ１０のメール領域には、新規作成したメールを保存する新規作成エリア、受信メールを保存する受信ボックスおよび送信済みメールを保存する送信ボックスが設けられる。ＲＡＭ１０のユーザ情報領域には、アドレス帳を記憶管理するアドレス帳エリア、発信および着信の履歴を記憶管理する履歴エリアの他、接続情報エリアが設けられる。
【００１３】
ＲＡＭ１０の接続情報エリアには、複数のダイヤルアップ先とそれに対応するメールアカウントとが登録されるダイヤルアップ登録テーブルＴ１（図３参照）と、後述するように、ダイヤルアップ登録テーブルＴ１から派生して生成されるダイヤルアップグループテーブルＴ２（図５参照）とを備える。ダイヤルアップ登録テーブルＴ１は、図３に図示するように、ダイヤルアップ接続先と、それに対応した送信メールアカウントおよび受信メールアカウントを１組とし、これをメールサービスを受けるプロバイダ毎に複数登録したものである。なお、受信メールアカウントは複数登録可能である。
【００１４】
（３）動作
次に、図３〜図５を参照して、上述のダイヤルアップ登録テーブルＴ１からダイヤルアップグループテーブルＴ２を生成させる動作について説明する。いま例えば、図３に図示する内容のダイヤルアップ登録テーブルＴ１がＲＡＭ１０の接続情報エリアに格納されているとする。そして、所定の機能スイッチを操作して接続モードに遷移させる。接続モードとは、ダイヤルアップ登録テーブルＴ１からダイヤルアップグループテーブルＴ２を生成させる処理動作を指す。接続モードに遷移すると、制御部５の制御の下に、表示部８に設定画面が表示される。その一例を図４（ａ），（ｂ）に図示する。
【００１５】
図４（ａ）に図示する接続モード１の場合、登録名（グループ名）を「仕事」に設定し、そのグループに対応させた「ダイアルアップ先」、「送信メールアカウント」および「受信メールアカウント」を、図３に示すダイヤルアップ登録テーブルＴ１から選択する。「受信メールアカウント」は複数選択しても構わない。こうして選択した「ダイアルアップ先」、「送信メールアカウント」および「受信メールアカウント」を１つのグループとして登録指示すると、接続モード１に対応した「ダイアルアップ先」、「送信メールアカウント」および「受信メールアカウント」が、図５に図示するダイヤルアップグループテーブルＴ２に登録される。
【００１６】
同様に、図４（ｂ）に図示する接続モード２の場合には、登録名（グループ名）を「友人」に設定し、そのグループに対応させた「ダイアルアップ先」、「送信メールアカウント」および「受信メールアカウント」を、ダイヤルアップ登録テーブルＴ１から選択して登録指示すると、接続モード２に対応した「ダイアルアップ先」、「送信メールアカウント」および「受信メールアカウント」が、図５に図示するダイヤルアップグループテーブルＴ２に登録される。
【００１７】
以上のようにして、接続モード別、すなわち登録名（グループ名）毎のダイアルアップ先とメールアカウントとを関連付けたダイヤルアップグループテーブルＴ２を生成し、このダイヤルアップグループテーブルＴ２から所望の接続モードを選択することで、ユーザ所望のダイヤルアップ先およびメールアカウントをワンタッチで選択することが可能になる。したがって、例えば、同一のダイヤルアップ先であっても、例えば仕事用のメールアカウントとプライベート用のメールアカウントとを使い分ける場合、従来のように、接続の度にダイヤルアップ先およびメールアカウントを一々選択する操作が不要になり、極めて操作性が向上する。
【００１８】
ダイヤルアップ先の分類は、前述のようなメールアドレスの属性による分類の他、当該ダイヤルアップ先との間の通信回線の通信速度の相違により、例えば画像データ等の大きなデータの通信を行う相手のグループか、通常の文字データのみの通信に用いられる相手のグループかによって分類し、さらに、各ダイヤルアップ先との間の通信速度を記憶しておき、必要な通信速度が確保できるダイヤルアップ先を選択することや、料金面をも加味して、できるだけ高速で通信することを優先するか、できるだけ安価に通信できることを優先するかなどの条件に応じて最適なダイヤルアップ先を選択するようにしても良い。また、通信時間帯によって、ダイヤルアップ先の通信速度や通信料金が異なる場合には、時間帯によって、特定のダイヤルアップ先を優先的に選択するようにしても良い。
【００１９】
このように、本実施の形態では、複数のダイヤルアップ先とそれに対応するメールアカウントとが登録されるダイヤルアップ登録テーブルＴ１から登録名（グループ名）毎のダイアルアップ先とメールアカウントとを関連付けたダイヤルアップグループテーブルＴ２を生成し、このダイヤルアップグループテーブルＴ２から選択されたグループのダイアルアップ先を参照してダイヤルアップ接続すると共に、その選択されたグループのダイアルアップ先に関連付けられたメールアカウントに従ってメール送受信するので、ユーザ所望のダイヤルアップ先およびメールアカウントをワンタッチで選択することができる。
【００２０】
なお、前記ダイヤルアップ登録テーブルは、通信端末自体に搭載しておく必要はなく、通信端末が接続可能ないずれかのサーバに登録しておき、前記通信端末から前記サーバアクセスし、メールサーバへの接続に先立って、ダイヤルアップ登録テーブルから必要なダイヤルアップ先を選択するようにしても良い。
なお、本発明の通信端末は、携帯電話機、モバイル端末、さらにはＰＤＦ等の通信機能を備えた情報処理端末を含むものである。
【図面の簡単な説明】
【００２１】
【図１】本発明の一実施形態による携帯電話機１００が適用される通信システムの構成を示すネットワーク図である。
【図２】実施の一形態である携帯電話機１００の構成を示すブロック図である。
【図３】ダイヤルアップ登録テーブルＴ１の一例を示す図である。
【図４】ダイヤルアップ登録テーブルＴ１からダイヤルアップグループテーブルＴ２を派生させる処理動作を説明するための図である。
【図５】ダイヤルアップグループテーブルＴ２の一例を示す図である。
【符号の説明】
【００２２】
１  通信処理部
２  通話部
３  スピーカ
４  マイク
５  制御部
６  操作部
７  時計部
８  表示部
９  システムＲＯＭ
１０  ＲＡＭ
１００  携帯電話機
１０１  基地局
１０２−１〜１０２−３  プロバイダ
１０３  ゲートウェイ
【図１】
2005347792.tif 000003
【図２】
2005347792.tif 000004
【図３】
2005347792.tif 000005
【図４】
2005347792.tif 000006
【図５】
2005347792.tif 000007